(57)【要約】【課題】河川やプール、池などの水中に浸漬しておくだけで長期間に亘って安定して水を浄化することができる水浄化装置を提供するものである。  【解決手段】プラスチック製の網を巻回した網状円筒体２の両端をステンレス製の蓋板３、３で塞ぎ、更に前記網状円筒体２の内側にスポンジ４を円筒状に巻回し、この内側にセラミック焼結体５とゼオライト６、自然石７および木炭８を充填して、ここに好気性微生物と嫌気性微生物を含浸させて、河川やプール、池などの水中に浸漬しておき、内部に流入した水に含まれる有機物を好気性微生物と嫌気性微生物で分解するようにしたものである。【選択図】  図２
2005288203.tif 000002
【特許請求の範囲】
【請求項１】
網を巻回した網状円筒体の両端を蓋板で塞ぎ、前記網状円筒体の内側にスポンジを円筒状に巻回し、更にこの内側にセラミック焼結体とゼオライトを充填して、ここに好気性微生物と嫌気性微生物を含浸させて、水中に浸漬して使用することを特徴とする水浄化装置。
【請求項２】
請求項１記載の水浄化装置において、セラミック焼結体とゼオライトに、更に自然石や木炭を混合したことを特徴とする水浄化装置。
【発明の詳細な説明】
【技術分野】
【０００１】
本発明は、河川や池、プールなどに浸漬して水の浄化を行なう水浄化装置に関するものである。
【背景技術】
【０００２】
従来、水の浄化を行なう装置として種々開発されているが、好気性微生物と嫌気性微生物を利用したものとしては、細長い密閉した円筒状の水路を連続させて、水路の異なる場所に好気性微生物と嫌気性微生物の存在する区域を共存させ、ポンプで汲み上げた水を順次各水路を通すことにより有機物を分解する水の浄化装置が開発されている（例えば特許文献１）。
【０００３】
しかしながらこの装置は、円筒状にユニット化された水路を蛇行して接続し、ここにポンプで水を供給するので装置が大型化し、装置の設置場所が必要で、しかもポンプのメンテナンスが面倒であるなどの問題があった。
【特許文献１】特開２００２−１４３８８７号公報
【発明の開示】
【発明が解決しようとする課題】
【０００４】
本発明は上記問題を改善し、河川やプール、池などの水中に浸漬しておくだけで長期間に亘って安定して水を浄化することができる水浄化装置を提供するものである。
【課題を解決するための手段】
【０００５】
本発明の請求項１記載の水浄化装置は、網を巻回した網状円筒体の両端を蓋板で塞ぎ、前記網状円筒体の内側にスポンジを円筒状に巻回し、更にこの内側にセラミック焼結体とゼオライトを充填して、ここに好気性微生物と嫌気性微生物を含浸させて、水中に浸漬して使用することを特徴とするものである。
【０００６】
本発明の請求項２記載の水浄化装置は、請求項１の水浄化装置において、更にセラミック焼結体とゼオライトに、自然石や木炭を混合したことを特徴とするものである。
【発明の効果】
【０００７】
本発明に係る請求項１記載の水浄化装置によれば、多孔質のセラミック焼結体とゼオライトに好気性微生物と嫌気性微生物を含浸させ、ここが微生物の住みかとなって、水に含まれる有機物を分解し、更に微生物を含浸させたセラミック焼結体とゼオライトが、通水性のある網状円筒体とスポンジに保持されて流失が防止され長期間に亘って安定して浄化作用を保持することができる。
【０００８】
また請求項２記載の水浄化装置によれば、セラミック焼結体とゼオライトに、更に自然石や木炭を混合することにより、自然石は水の流路を確保する役割をなし、円滑に水が内部を流れて微生物による浄化作用を促進させることができる。また木炭は多孔質で吸着性に優れ、有害な物質の吸着や脱臭作用に優れている。
【発明を実施するための最良の形態】
【０００９】
水中に浸漬して水を浄化できる水浄化装置を実現した。
【実施例１】
【００１０】
以下本発明の実施例を図１ないし図３を参照して詳細に説明する。図において１は水浄化装置を示すもので、図２に示すようにプラスチック製の網を巻回した網状円筒体２の両端をステンレス製の蓋板３、３で塞ぎ、更に前記網状円筒体２の内側にスポンジ４を円筒状に巻回して、この内側にセラミック焼結体５とゼオライト６、自然石７および木炭８を充填して、ここに好気性微生物と嫌気性微生物（例えばＥＭ菌）を含浸させたものである。この場合、充填するセラミック焼結体５とゼオライト６、自然石７および木炭８の粒径は５〜２０ｍｍ程度が好ましい。この水浄化装置１は、例えば図３に示すように汚れている河川９の浅瀬に複数個並べて浸漬し、流失しないようにロープ１０で固定して設置する。
【００１１】
このように川８に水浄化装置１を浸漬して放置しておくと、汚れた河川９の水が、網状円筒体２からスポンジ４を通して内部に流入し、水に含まれる有機物が、セラミック焼結体５とゼオライト６に含浸させた、好気性微生物と嫌気性微生物により分解されて浄化される。この場合、セラミック焼結体５は、多孔質で微生物の住みかとなって長期間に亘って浄化作用を保持することができる。このセラミック焼結体５は、セラミック粉末に好気性微生物と嫌気性微生物を含む水を混和して焼結すると、セラミック自体が微生物を保持して更に効果を向上させることができる。
【００１２】
またゼオライト６も同様に多孔質で微生物の住みかとなって長期間に亘って浄化作用を保持し、セラミック焼結体５に比べて目詰まりしにくく、価格も安価である。また自然石７は水の流路を確保する役割をなし、円滑に水が内部を流れて微生物による浄化作用を促進させることができる。また木炭８は多孔質で吸着性に優れ、有害な物質の吸着や脱臭作用に優れている。
【００１３】
また網状円筒体２とスポンジ４は通水性があり、内部に充填したセラミック焼結体５とゼオライト６、自然石７および木炭８を保持して流失を防止し、長期間に亘って浄化作用を保持することができる。また水浄化装置１を浸漬した状態で効果が低下してきた時には、好気性微生物と嫌気性微生物を水浄化装置１に振り掛けて含浸させると良い。
【００１４】
福島県いわき市の頭之巣川、上板橋地区で水質検査を行なった結果、大腸菌数２４，０００、全窒素２．２０、全りん０．０５５であった。この河川に本発明の水浄化装置１を設置して、２週間後に再び水質検査を行なって効果を確認した。その結果、大腸菌数４，９００、全窒素１．９０、全りん０．０４２に減少し、透明度も向上しており、本発明の効果を確認することができた。
【００１５】
また福島県田村郡の船引中学のプールのコーナーに水浄化装置１を立てた状態で設置し、プールの水の浄化を行なった。プールの使用期間２カ月の間に４回、検査したがその結果、いずれも大腸菌群は不検出であり、一般細菌も０で、濁度０．５度未満であった。
【００１６】
なお上記説明では網状円筒体２としてプラスチック製の網を用いた場合について示したがステンレスなどの不錆性の金網を用いても良い。また蓋板３は、ステンレス製に限らずプラスチック製のものを用いても良い。
【産業上の利用可能性】
【００１７】
なお上記説明では河川やプールの水質浄化を行なう場合について説明したが、池や沼、工場廃水などの浄化にも広く適用することができる。
【図面の簡単な説明】
【００１８】
【図１】本発明の実施例による水浄化装置の正面図である。
【図２】図１の水浄化装置を示す断面図である。
【図３】図１の水浄化装置を河川に設置した場合を示す斜視図である。
【符号の説明】
【００１９】
１    水浄化装置                                            
２    網状円筒体                                            
３    蓋板                                                  
４    スポンジ                                              
５    セラミック焼結体                                      
６    ゼオライト                                            
７    自然石                                                
８    木炭                                                  
９    河川                                                  
１０  ロープ                                                
【図１】
2005288203.tif 000003
【図２】
2005288203.tif 000004
【図３】
2005288203.tif 000005